(57)【特許請求の範囲】
【請求項１】
枠体と、この枠体に嵌入される基材とを具備した装飾品であって、
基材外周縁部には、この外周縁部を残して外周縁部近傍に基材を貫通する肉抜きが施された可撓変形部が設けられるとともに、基材の嵌入方向に沿って、対向する２ヶ所に溝部が設けられる一方、
枠体の外周部分には、嵌入した基材を可撓変形部の位置で被包する爪部が設けられるとともに、前記基材の嵌入方向に沿って、対向する２ヶ所に、前記基材の溝部に合致する凸部が設けられ、
枠体に対して基材の可撓変形部が変形することで爪部を障害とすることなく嵌入が行なわれ、かつ、嵌入状態で基材の溝部と枠体の凸部とが合致して枠体と基材とが回動することなく安定し、若干の遊びを持たせた嵌入状態となされ、その後、染色されて染色による基材の膨張が遊びによって吸収されてなることを特徴とする装飾品。
【請求項２】
枠体がメッキ処理されたＡＢＳ樹脂製となされ、基材がナイロン樹脂製となされた請求項１記載の装飾品。
【発明の詳細な説明】
【０００１】
【産業上の利用分野】
本発明は、枠体と、この枠体に嵌入される基材とを具備した服飾用のボタンやブローチなどの装飾品に関するものである。
【０００２】
【従来の技術】
一般に、枠体に基材を嵌め合わせて構成された装飾品としてボタンが知られている。
【０００３】
従来より、このボタンを構成する枠体と基材とは、嵌め合わせ状態で枠体から基材が外れないように、枠体に対して遊びやガタツキを持たせることなく基材を圧入していた。
【０００４】
また、メッキ処理したＡＢＳ樹脂で成形した枠体に、ナイロン樹脂で成形した基材を圧入して構成したボタンが知られている。このボタンは、メーカーや問屋などで必要に応じて基材を所望の色に染色して使用していた。
【０００５】
【発明が解決しようとする課題】
しかし、上記従来のボタンの場合、枠体と基材とを圧入によって固定しているため、枠体と基材との固定力に差を生じやすくなり、安定した商品供給ができないといった不都合を生じる場合がある。
【０００６】
また、圧入作業に手間がかかるため、生産効率が悪くなるといった不都合を生じる。そのため、圧入に替えて接着によって枠体と基材とを固定することも行われているが、この場合も、接着剤の塗布作業を慎重に行わないと、接着後に接着剤のはみ出しなどを生じるため、作業が煩わしくなるといった不都合を生じることとなる。
【０００７】
さらに、メッキ処理したＡＢＳ樹脂で成形した枠体に、ナイロン樹脂で成形した基材を圧入して構成したボタンの場合、基材を染色することによって、この基材が膨張するので、枠体が破壊されてしまうといった不都合を生じることがある。そのため、あらかじめ枠体に対して遊びやガタツキを持たせて基材を小さく成形しておくことが考えられるが、この場合、基材を染色しないで使用する時に枠体と基材とが分離しやすくなるといった不都合を生じることがある。
【０００８】
本発明は、係る実情に鑑みてなされたものであって、枠体と基材とを安定した嵌入状態に保つことのできる装飾品を提供することを目的としている。
【０００９】
【課題を解決するための手段】
上記課題を解決するための本発明の装飾品は、枠体と、この枠体に嵌入される基材とを具備した装飾品であって、基材外周縁部には、この外周縁部を残して外周縁部近傍に基材を貫通する肉抜きが施された可撓変形部が設けられるとともに、基材の嵌入方向に沿って、対向する２ヶ所に溝部が設けられる一方、枠体の外周部分には、嵌入した基材を可撓変形部の位置で被包する爪部が設けられるとともに、前記基材の嵌入方向に沿って、対向する２ヶ所に、前記基材の溝部に合致する凸部が設けられ、枠体に対して基材の可撓変形部が変形することで爪部を障害とすることなく嵌入が行なわれ、かつ、嵌入状態で基材の溝部と枠体の凸部とが合致して枠体と基材とが回動することなく安定し、若干の遊びを持たせた嵌入状態となされ、その後、染色されて染色による基材の膨張が遊びによって吸収されてなるものである。
【００１０】
また、枠体がメッキ処理されたＡＢＳ樹脂製となされ、基材がナイロン樹脂製となされたものである。
【００１１】
【作用】
本発明によると、嵌入時に、可撓変形部が変形することで爪部を障害とすることなく嵌入が行えることとなる。
【００１２】
【実施例】
以下、本発明の実施例を図面を参照して説明する。
【００１３】
図１ないし図３はボタン１の全体構成の概略を示している。
【００１４】
すなわち、このボタン１は、枠体２に基材３を嵌入するように構成されている。
【００１５】
枠体２は、裏面側から基材３が嵌入するように、基材３に相当する窪みを有するように成形されたもので、ボタン１の表面から裏面に至る外周部分２１とボタン１の表面模様２２とを構成するようになされている。また、枠体２１の外周部分２１のうち、嵌入された基材３と接する部分には、基材３の嵌入方向Ａに沿って、対向する２ヵ所に凸部２３が設けられている。さらに、枠体２１の外周部分２１のうち、嵌入された基材３のさらに外側の部分には、この嵌入された基材３を被包するように、対向する２ヵ所に爪部２４が設けられている。この枠体２は、全体がＡＢＳ樹脂によって成形され、成形後、メッキ処理される。
【００１６】
基材３は、枠体２に嵌入できるように、所定の厚みをもって成形されており、裏面にはボタン孔３０が突設されている。また、嵌入状態で、枠体２の外周部分２１と接することとなる基材３の外周縁部には、基材３の嵌入方向Ａに沿って、対向する２ヵ所に溝部３１が設けられている。そして、この溝部３１を枠体２の凸部２３に合致させて嵌入することで、枠体２と基材３とが回動することなく常に安定した嵌入状態となる。さらに、この嵌入状態で、枠体２の爪部２４に相当する基材３の外周縁部には、この外周縁部を残して肉抜き３２が施され、この肉抜き３２によって薄くなった部分が、可撓変形可能な可撓変形部３３となされている。すなわち、嵌入時に、基材３を被包するようになされた爪部２４が邪魔となるが、この可撓変形部３３が可撓変形することで、爪部２４を障害とすることなく嵌入することができることとなる。この基材３は、全体がナイロン樹脂によって成形されている。そして、枠体２に嵌入した状態で、必要に応じて染色加工して使用される。
【００１７】
なお、本実施例では、基材３の外周縁部に沿った円弧状の肉抜き３２が施されているが、肉抜き３２によって薄くなった部分が、可撓変形可能な可撓変形部３３を構成するものであれば、肉抜き３２の形状としては、限定されるものではなく、例えば、円形、四角形、三角形、楕円形など各種形状の肉抜き３２が施されていてもよい。
【００１８】
このようにして構成されるボタン１によると、まず、枠体２に設けた凸部２３と基材３に設けた溝部３１とによって嵌入状態での互いの位置決めを行うことができるので、衣服にボタン１を付けた状態で枠体２が回ってボタン１の模様が逆様になったりすることを防止することができる。
【００１９】
また、枠体２と基材３との嵌入時には、基材３を被包するようになされた爪部２４を障害とすることなく可撓変形部３３が可撓変形して簡単に嵌入できるので、特別な装置や工具などを必要とすることなく簡単に手作業でボタン１を完成させることができる。また、場合によっては、嵌入された基材３の可撓変形部３３を針（図示省略）などで突いて可撓変形させ、枠体２から分離することもできる。
【００２０】
さらに、嵌入後は、枠体２に設けた爪部２４によって、この枠体２に嵌入した基材３を被包して安定した嵌入状態を保つことができる。そのため、枠体２と基材３との間に若干の遊びを持たせた状態に構成しても枠体２と基材３とが分離することがなく、製品精度が安定して不良品の発生率も少ないボタン１となる。また、この遊びは、ボタン１を後に染色した場合には、基材３の膨張を吸収して枠体２の破壊を防止することができることとなる。
【００２１】
なお、本実施例では、円形のボタン１となされているが、ボタン１の形状としては、枠体２と基材３とを嵌入することによって構成されるボタン１であれば、特に円形に限定されるものではなく、楕円形や、四角形などの多角形の形状であってもよい。
【００２２】
また、爪部２４の数も、本実施例のように対向する２ヵ所の位置に限定されるものではなく、１ヵ所または３ヵ所以上であってもよい。ただし、この場合、基材３の可撓変形部３３は、少なくとも爪部２４に対応する位置に形成されていなければならない。
【００２３】
さらに、本実施例では、メッキ処理されたＡＢＳ樹脂製の枠体２とナイロン樹脂製の基材３とからなるボタン１について述べているが、枠体２および基材３の材質としてはこれらに限定されるものではなく、例えば、枠体２としては、真鍮、アルミニウム、キャストなどの金属製のものや、ウレタン樹脂、その他各種樹脂材料からなる枠体２にメッキ処理を施したものや、メッキ処理されていないものなどであってもよい。また、基材３としては、ナイロン樹脂の他に、ポリエステル樹脂、ポリアセタール樹脂、セルロースアセテート樹脂、ポリカーボネート樹脂、ポリウレタン樹脂などであってもよい。
【００２４】
さらに、本実施例では、装飾品の一例としてボタン１について述べているが、その他に、ブローチや髪かざりなどであってもよい。
【００２５】
【発明の効果】
以上述べたように、本発明によると、爪部を障害とすることなく枠体に対して基材を嵌入できるとともに、この爪部によって安定した嵌入状態を保つことができるので、枠体と基材との間に若干の遊びを持たせた状態で、枠体と基材とが分離するのを防止することができる。また、枠体と基材との間に若干の遊びを持たせた嵌入状態とし、基材を染色した場合の膨張を吸収することができるようにしているので、枠体と基材とを安定した嵌入状態に保つことができ、不良品の発生率の低い製品精度に優れた装飾品となる。また、染色されて基材が膨張するまでは、着脱自在の簡単な嵌入作業が可能となり、生産性の向上を図ることができることとなる。
【図面の簡単な説明】
【図１】ボタンの全体構成の概略を示す分解斜視図である。
【図２】ボタンの全体構成の概略を示す斜視図である。
【図３】図２のIII-III 線断面図である。
【符号の説明】
１  ボタン（装飾品）
２  枠体
２３  凸部
２４  爪部
３  基材
３１  溝部
３２  肉抜き
３３  可撓変形部
Ａ  嵌入方向
【図１】
0003685824.tif 000002
【図２】
0003685824.tif 000003
【図３】
0003685824.tif 000004